(57)【要約】【課題】本発明は、操作に便利である表示装置、メニュー表示装置及びメニュー表示方法を提供することを目的とする。【解決手段】本発明の本発明のメニュー表示装置は、メニューをスクリーンに表示し、軌跡識別素子、記憶素子、メニュー生成素子、及び制御器を備える。記憶素子には、複数の機能メニューアイコンが保存され、メニュー生成素子は、作動指令を受信し、メニューアイコンは交差している第一軌跡と第二軌跡とに沿って順に配列され、且つスクリーンに表示され、制御器が選択指令を受信した場合、第一軌跡のメニューアイコンが第一軌跡に沿って循環的にスライドし、或いは第二軌跡のメニューアイコンが第二軌跡に沿って循環的にスライドする。【選択図】図５
2014120165.tif 000002
【特許請求の範囲】
【請求項１】
メニュー表示装置であって、前記メニュー表示装置はメニューをスクリーンに表示し、軌跡識別素子、記憶素子、メニュー生成素子、及び制御器を備え、前記記憶素子には、複数の機能メニューアイコンが保存され、前記メニュー生成素子は、作動指令を受信し、メニューアイコンは、交差している第一軌跡と第二軌跡とに沿って順に配列されるとともに、前記スクリーンに表示され、前記制御器が選択指令を受信した場合、前記第一軌跡のメニューアイコンが前記第一軌跡に沿って循環的にスライドし、或いは前記第二軌跡のメニューアイコンが前記第二軌跡に沿って循環的にスライドすることを特徴とするメニュー表示装置。
【請求項２】
前記第一軌跡と前記第二軌跡とはそれぞれ確認位置を通過し、且つ毎回１つのメニューアイコンが確認位置を通過し、前記制御器は、ユーザがタッチスクリーンを介して入力した確認指令によって、前記メニューアイコンのスライドを停止し、且つ前記確認位置のメニューアイコンを作動させることを特徴とする請求項１に記載のメニュー表示装置。
【請求項３】
前記第一軌跡と前記第二軌跡とは、それぞれ直線であることを特徴とする請求項１に記載のメニュー表示装置。
【請求項４】
前記第一軌跡と前記第二軌跡とは、交差することを特徴とする請求項１に記載のメニュー表示装置。
【請求項５】
データを表示し、ユーザがタッチスクリーンを操作したことを感知し、且つ対応する指令を生成するタッチスクリーンを備える表示装置において、
前記表示装置は、記憶素子、メニュー生成素子、及び制御器を備え、前記タッチスクリーンは、ユーザが前記タッチスクリーンを作動操作したことを感知し、且つ対応する作動指令を生成し、前記記憶素子には、複数の機能メニューアイコンが保存され、前記メニュー生成素子は、作動指令を受信し、メニューアイコンは、交差している第一軌跡と第二軌跡とに沿って順に配列され、且つ前記タッチスクリーンに表示され、前記タッチスクリーンは、ユーザが前記タッチスクリーンを選択操作することを感知し、且つ対応する選択指令を生成し、前記制御器が選択指令を受信した場合、前記第一軌跡のメニューアイコンが前記第一軌跡に沿って循環的にスライドし、或いは前記第二軌跡のメニューアイコンが前記第二軌跡に沿って循環的にスライドすることを特徴とする表示装置。
【請求項６】
前記タッチスクリーンは、ユーザの確認指令を感知し、且つ対応する確認指令を生成し、前記制御器は前記確認指令を受信し、前記メニューアイコンを制御してスライドを停止し、且つ確認位置のメニューアイコンを作動させることを特徴とする請求項５に記載の表示装置。
【請求項７】
前記作動操作とは、ユーザが前記タッチスクリーンをタッチした時間が予備設定された時間に達する操作であることを特徴とする請求項５に記載の表示装置。
【請求項８】
前記選択操作とは、ユーザが前記タッチスクリーンをＸ軸或いはＸ軸と異なるＹ軸に沿ってスライドする操作のことであり、Ｘ軸は第一軌跡に対応し、Ｙ軸は第二軌跡に対応し、前記表示装置は、更に軌跡識別素子を備え、前記軌跡識別素子は、ユーザの前記タッチスクリーンにおけるスライド軌跡及びスライド速度を識別し、且つ対応する選択指令を生成し、前記制御器は、前記選択指令を受信し、且つ識別されたスライド軌跡及びスライド速度によって、前記メニューアイコンが前記第一軌跡と前記第二軌跡とに沿ってスライドし、且つ前記メニューアイコンのスライドの速度を制御することを特徴とする請求項５に記載の表示装置。
【請求項９】
メニュー表示方法において、
複数のメニューアイコンを提供するステップと、
ユーザが入力した作動操作を受信したかどうかを判断するステップと、
作動指令を受信した際、メニューアイコンが第一軌跡と第二軌跡とに沿って順に配列されるステップと、
ユーザが入力した選択指令を受信したかどうかを判断するステップと、
選択指令を受信した場合、第一軌跡のメニューアイコンを制御して、第一軌跡に沿って循環的にスライドさせ、或いは第二軌跡のメニューアイコンを制御して、第二軌跡に沿って  循環的にスライドするステップと、
を備えることを特徴とするメニュー表示方法。
【請求項１０】
前記第一軌跡と前記第二軌跡とはそれぞれ確認位置を通過し、且つ毎回１つのメニューアイコンが確認位置を通過し、前記メニューアイコンがスライドした後メニュー表示方法は、
ユーザが入力した確認指令を受信したかどうかを判断するステップと、
ユーザが入力した確認指令を受信した場合、メニューアイコンを制御して、スライドを停止し、且つ確認位置に対応するメニューアイコンを作動させるステップと、を備えることを特徴とする請求項９に記載のメニュー表示方法。
【発明の詳細な説明】
【技術分野】
【０００１】
本発明は、表示装置、メニュー表示装置及びメニュー表示方法に関するものである。
【背景技術】
【０００２】
従来の表示装置、例えば、携帯電話、テレビ等は、その知能化が発展するにつれて、電子装置の機能も多くなっている。従って、電子装置のメニューアイコンも増えている。現在の電子装置のメニューアイコンは、ほぼマトリックス式に配列されている。しかし、ディスプレイにメニューアイコンが緊密に表示されているので、ユーザは、毎回、メニューアイコンから必要なメニューアイコンを探すのに時間がかかり、操作に不便である。
【発明の概要】
【発明が解決しようとする課題】
【０００３】
以上の問題点に鑑みて、本発明は、操作に便利である表示装置、メニュー表示装置及びメニュー表示方法を提供することを目的とする。
【課題を解決するための手段】
【０００４】
上記の課題を解決するために、本発明のメニュー表示装置は、メニューをスクリーンに表示し、軌跡識別素子、記憶素子、メニュー生成素子、及び制御器を備える。前記記憶素子には、複数の機能メニューアイコンが保存され、前記メニュー生成素子は、作動指令を受信し、メニューアイコンは交差している第一軌跡と第二軌跡とに沿って順に配列され、且つ前記スクリーンに表示され、前記制御器が選択指令を受信した場合、前記第一軌跡のメニューアイコンが前記第一軌跡に沿って循環的にスライドし、或いは前記第二軌跡のメニューアイコンが前記第二軌跡に沿って循環的にスライドする。
【０００５】
上記の課題を解決するために、本発明の表示装置は、タッチスクリーンを備え、前記タッチスクリーンはデータを表示し、ユーザが前記タッチスクリーンを操作したことを感知し、且つ対応する指令を生成する。前記表示装置は、記憶素子、メニュー生成素子、及び制御器を備え、前記タッチスクリーンは、ユーザが前記タッチスクリーンを作動操作したことを感知し、且つ対応する作動指令を生成し、前記記憶素子には、複数の機能メニューアイコンが保存され、前記メニュー生成素子は、作動指令を受信し、メニューアイコンは交差している第一軌跡と第二軌跡とに沿って順に配列され、且つ前記タッチスクリーンに表示され、前記タッチスクリーンは、ユーザが前記タッチスクリーンを選択操作したことを感知し、且つ対応する選択指令を生成し、前記制御器が選択指令を受信した場合、前記第一軌跡のメニューアイコンが前記第一軌跡に沿って循環的にスライドし、或いは前記第二軌跡のメニューアイコンが前記第二軌跡に沿って循環的にスライドする。
【０００６】
上記の課題を解決するために、本発明のメニュー表示方法は、複数のメニューアイコンを提供するステップと、ユーザが入力した作動操作を受信したかどうかを判断するステップと、前記作動指令を受信した際、メニューアイコンが第一軌跡と第二軌跡とに沿って順に配列されるステップと、ユーザが入力した選択指令を受信したかどうかを判断するステップと、前記選択指令を受信した場合、第一軌跡のメニューアイコンを制御して、第一軌跡に沿って循環的にスライドさせ、或いは第二軌跡のメニューアイコンを制御して、第二軌跡に沿って循環的にスライドするステップと、を備える。
【発明の効果】
【０００７】
本発明の表示装置、メニュー表示装置、及びメニュー表示方法は、メニューアイコンを第一軌跡と第二軌跡に配列し、且つユーザの操作によって、第一軌跡のメニューアイコンは第一軌跡に沿って循環的にスライドし、第二軌跡のメニューアイコンは第二軌跡に沿って循環的にスライドする。従って、ユーザは、毎回、メニューアイコンから必要なメニューアイコンを即座に探すことができ、操作に便利である。
【図面の簡単な説明】
【０００８】
【図１】本発明に係る表示装置を示す図である。
【図２】図１に示した表示装置の機能モジュールを示す図である。
【図３】図１に示した表示装置に表示されるメニューアイコンを示す図である。
【図４】図３に示したメニューアイコンを選択した際の状態を示す図である。
【図５】本発明に係る第一実施形態におけるメニューアイコンの表示方法の流れ図である。
【図６】本発明に係る第二実施形態の表示装置を示す図である。
【図７】図６に示した表示装置の機能モジュールを示す図である。
【図８】図６に示した表示装置に表示されるメニューアイコンを示す図である。
【図９】図８に示したメニューアイコンを選択した際の状態を示す図である。
【図１０】表示装置に表示されたメニューアイコンを示す図である。
【図１１】本発明に係る第二実施形態におけるメニューアイコンの表示方法の流れ図である。
【発明を実施するための形態】
【０００９】
以下、図面に基づいて、本発明に係る表示装置、メニュー表示装置及びメニュー表示方法について詳細に説明する。図１〜図４に示したように、本発明の第一実施形態の表示装置３０は、携帯電話である。他の実施形態において、該表示装置３０は、ＰＤＡ、パソコン、タブレットパソコン等であっても良い。
【００１０】
表示装置３０は、タッチスクリーン３１及びメニュー表示装置３２を備える。メニュー表示装置３２は、表示装置３０に設置されたソフトウェア、ハードウェア、或いはソフトウェアとハードウェアとを組み合わせたファームウェアである。メニュー表示装置３２は、軌跡識別素子３３、記憶素子３７、メニュー生成素子３４、及び制御器３６等を備える。記憶素子３７には、複数の機能メニューアイコン３４１が保存されている。
【００１１】
タッチスクリーン３１は、ユーザがタッチスクリーン３１を作動操作したことを感知し、且つ対応する作動指令を生成する。この作動操作とは、タッチスクリーン３１のある１個所を５秒間タッチして行う操作のことである。
【００１２】
メニュー生成素子３４は作動指令を受信すると、複数の機能メニューアイコン３４１の機能メニュー３４０を生成し、機能メニュー３４０はタッチスクリーン３１に表示される。機能メニュー３４０は、第一軌跡Ｈと第二軌跡Ｉに沿って配列され、且つ第一軌跡Ｈと第二軌跡Ｉとはそれぞれ確認位置Ｊを通過する。
【００１３】
また、タッチスクリーン３１は、ユーザがタッチスクリーン３１を選択操作したことを感知し、且つ対応する感知信号を生成する。この選択操作とは、ユーザがタッチスクリーン３１をＸ軸或いはＹ軸に沿ってスライドする操作のことである。
【００１４】
軌跡識別素子３３は、前記感知信号を受信し、ユーザがタッチスクリーン３１をスライドさせた際のスライド軌跡と速度を識別し、且つこのスライド軌跡によって対応する選択指令を生成する。
【００１５】
制御器３６は、前記選択指令を受信し、且つ識別されたスライド軌跡と速度によって、第一軌跡Ｈの機能メニューアイコン３４１を第一軌跡Ｈに沿って循環的にスライドさせる或いは第二軌跡Ｉの機能メニューアイコン３４１を第二軌跡Ｉに沿って循環的にスライドさせる。ここで、スライド速度は、識別された速度である。本実施形態において、ユーザがタッチスクリーン３１をＸ軸に沿って左或いは右にスライドさせると、第一軌跡Ｈに配列された機能メニューアイコン３４１もスライドし、ユーザがタッチスクリーン３１をＹ軸に沿って上方或いは下方にスライドさせると、第二軌跡Ｉに配列された機能メニューアイコン３４１もスライドする。本実施形態において、第一軌跡Ｈと第二軌跡Ｉとは、互いに垂直に交差した直線である。他の実施形態において、第一軌跡Ｈと第二軌跡Ｉとは、互いに交差した曲線、或いは不規則な線である。
【００１６】
また、タッチスクリーン３１は、ユーザがタッチスクリーン３１を確認操作したことを感知し、且つ対応する確認指令を生成する。この確認操作とは、ユーザがタッチスクリーン３１をタッチする操作のことである。
【００１７】
制御器３６は、前記確認指令を受信し、且つこの確認指令によって、機能メニューアイコン３４１のスライドを停止させ、表示装置１０を制御して確認位置Ｊに対応する機能メニューアイコン３４１を作動させる。
【００１８】
図５に示したように、第一実施形態の機能メニューアイコン３４１の表示方法は、表示装置３０を制御して、対応する機能メニューアイコン３４１を表示させる。表示装置３０は、ディスプレイを備える。本実施形態において、ディスプレイはタッチスクリーン３１である。メニューアイコンの表示方法は、以下のステップ（Ｓ８０１〜Ｓ８０７）を備える。
【００１９】
ステップＳ８０１において、複数の機能メニューアイコン３４１を提供する。
【００２０】
ステップＳ８０２において、ユーザが入力した作動操作を受信したかどうかを判断する。本実施形態において、ユーザが、タッチスクリーン３１のある１個所を５秒間タッチして、作動指令を入力する。
【００２１】
ステップＳ８０３において、作動指令を受信した場合、機能メニューアイコン３４１が第一軌跡Ｈと第二軌跡Ｉに沿って順に配列される。第一軌跡Ｈと第二軌跡Ｉとはそれぞれ確認位置Ｊを通過する。本実施形態において、第一軌跡Ｈと第二軌跡Ｉとは、互いに垂直に交差した直線である。他の実施形態において、第一軌跡Ｈと第二軌跡Ｉとは、互いに交差した曲線、或いは不規則な線であっても良い。
【００２２】
ステップＳ８０４において、ユーザが入力した選択操作を受信したかどうかを判断する。
【００２３】
ステップＳ８０５において、選択指令を受信した場合、第一軌跡Ｈの機能メニューアイコン３４１を制御して、第一軌跡Ｈに沿って循環的にスライドさせる或いは第二軌跡Ｉのメニューアイコンを制御して、第二軌跡Ｉに沿って循環的にスライドさせる。本実施形態において、ユーザがタッチスクリーン３１をＸ軸に沿ってスライドさせると、第一軌跡Ｈの機能メニューアイコン３４１も第一軌跡Ｈに沿ってスライドし、ユーザがタッチスクリーン３１をＹ軸に沿ってスライドさせると、第二軌跡Ｉの機能メニューアイコン３４１も第二軌跡Ｉに沿ってスライドする。
【００２４】
ステップＳ８０６において、確認指令を受信したかどうかを判断する。
【００２５】
ステップＳ８０７において、確認指令を受信した場合、機能メニューアイコン３４１を制御して、スライドを停止し、且つ確認位置Ｊに対応する機能メニューアイコン３４１を作動させる。
【００２６】
図６に示したように、第二実施形態の表示装置１０は、テレビであり、タッチ式リモコン２０によって操作される。タッチ式リモコン２０は、短距離無線通信技術によって通信する。
【００２７】
タッチ式リモコン２０は、タッチスクリーン２１及び送信素子２５を備える。タッチスクリーン２１は、ユーザがタッチスクリーン２１を作動操作したことを感知し、且つ対応する位置データを生成する。この作動操作とは、タッチスクリーン２１のある１個所を５秒間タッチして行う操作のことである。本実施形態において、タッチスクリーン２１は、作動操作によって、タッチスクリーン２１のバックライトをオフすることができる。従って、エネルギーを節約できる。
【００２８】
タッチスクリーン２１は、ユーザがタッチスクリーン２１を選択操作したことを感知し、且つ対応する軌跡データを生成する。この選択操作とは、ユーザがタッチスクリーン２１をＸ軸或いはＹ軸に沿ってスライドする操作のことである。
【００２９】
タッチスクリーン２１は、ユーザがタッチスクリーン２１を確認操作したことを感知し、且つ対応する確認指令を生成する。この確認操作とは、ユーザがタッチスクリーン２１をタッチする操作のことである。
【００３０】
送信素子２５は、位置データ、軌跡データ、前記確認指令を表示装置１０に送信する。
【００３１】
以下に、第二実施形態における表示装置１０がタッチ式リモコン２０が送信した位置データ、軌跡データ、確認指令によって、対応する操作を実行することを説明する。
【００３２】
図７〜図１０に示したように、第二実施形態における表示装置１０は、メニュー表示装置１１及びディスプレイ１７を備える。メニュー表示装置１１は、表示装置１０に設置されたソフトウェア、ハードウェア、或いはソフトウェアとハードウェアとを組み合わせたファームウェアである。メニュー表示装置１１は、指令受信素子１３、記憶素子１４、メニュー生成素子１５、制御器１６を備える。記憶素子１４には、リモコンメニューアイコン１４０及びシステムメニューアイコン１４１が保存されている。指令受信素子１３は、タッチ式リモコン２０が送信した作動指令、選択指令、確認指令を受信する。メニュー生成素子１５は、作動指令を受信し、ディスプレイ１７の表示位置ｄに、複数のリモコンメニューアイコン１４０が表示される。表示位置ｄは、ユーザがタッチスクリーン２１をタッチした作動操作の位置と対応する。リモコンメニューアイコン１４０には、メニューアイコンが第一軌跡ａと第二軌跡ｂとに沿って配列され、且つ第一軌跡ａと第二軌跡ｂとはそれぞれ確認位置ｃを通過する。リモコンメニューアイコン１４０は、従来のボタン式のリモコンのボタンに対応する。詳しくは、リモコンメニューアイコン１４０は、数字ボタン１４３、方向ボタン１４４、機能ボタン１４５等を備える。機能ボタン１４５は、テレビメニューボタン１４５ａを備える。本実施形態において、第一軌跡ａと第二軌跡ｂとは、互いに垂直に交差した直線である。他の実施形態において、第一軌跡ａと第二軌跡ｂとは、互いに交差した曲線、或いは不規則な線である。
【００３３】
制御器１６は、選択指令を受信し、識別されたスライド軌跡及びスライド速度によって、リモコンメニューアイコン１４０を第一軌跡ａと第二軌跡ｂに沿ってスライドするように制御する。本実施形態において、ユーザがタッチスクリーン２１をＸ軸に沿って左或いは右にスライドすると、第一軌跡ａに配列されたリモコンメニューアイコン１４０もスライドし、ユーザがタッチスクリーン２１をＹ軸に沿って上方或いは下方にスライドすると、第二軌跡ｂに配列されたリモコンメニューアイコン１４０もスライドする。
【００３４】
制御器１６は、確認指令を受信すると、リモコンメニューアイコン１４０のスライドを停止し、第一確認位置ｃのリモコンメニューアイコン１４０を作動し、対応する機能を実行する或いは対応する設定モードに入る。本実施形態におけるテレビメニューボタン１４５ａを具体的に説明すると、制御器２０が確認指令を生成すると、テレビメニューボタン１４５ａは第一確認位置ｃに位置し、且つ作動されて、対応する操作指令を生成する。
【００３５】
メニュー生成素子１５は、前記操作指令を受信すると、ディスプレイ１７にシステムメニューアイコン１４１を備えたテレビメニュー１４６が表示される。システムメニューアイコン１４１は、第三軌跡ｅと第四軌跡ｆに沿ってディスプレイ１７に配列され、且つ第三軌跡ｅと第四軌跡ｆとは、それぞれ第二位置ｇを通過する。制御器１６は、操作指令を受信し、この操作指令によって、リモコンメニューアイコン１４０の表示を停止する。
【００３６】
テレビメニューの選択モード下、制御器１６は、選択指令を受信し、識別されたスライド軌跡及びスライド速度によって、システムメニューアイコン１４１が第三軌跡ｅと第四軌跡ｆに沿ってスライドするように制御する。本実施形態において、ユーザがタッチスクリーン２１をＸ軸に沿って左或いは右にスライドさせると、第三軌跡ｅに配列されたリモコンメニューアイコン１４０もスライドし、ユーザがタッチスクリーン２１をＹ軸に沿って上方或いは下方にスライドさせると、第四軌跡ｆに配列されたリモコンメニューアイコン１４０もスライドする。本実施形態において、第三軌跡ｅと第四軌跡ｆとは、互いに垂直に交差した直線である。他の実施形態において、第三軌跡ｅと第四軌跡ｆとは、互いに交差した曲線、或いは不規則な線であっても良い。
【００３７】
制御器１６は、確認指令を受信し、システムメニューアイコン１４１のスライドを停止し、且つ第二確認位置ｇのシステムメニューアイコン１４１を作動し、対応する機能を実行する或いは対応する設定モードに入る。他の実施形態において、リモコンメニューアイコン１４０及びシステムメニューアイコン１４１は、同時にディスプレイ１７に表示することができる。
【００３８】
図１１に示したように、第二実施形態のメニューアイコンの表示方法は、表示装置１０を制御して対応するメニューアイコンを表示する。表示装置１０はタッチ式リモコン２０によって制御される。本実施形態における表示装置１０は、テレビである。タッチ式リモコン２０は複数のリモコンメニューアイコン１４０を介して表示装置１０を制御する。テレビはディスプレイを備え、タッチ式リモコン２０はタッチスクリーン２１を備える。メニューアイコン１４０の表示方法は、以下のステップ（Ｓ９０１〜Ｓ９１３）を備える。
【００３９】
ステップＳ９０１において、複数のリモコンメニューアイコン１４０、複数のシステムメニューアイコン１４１を提供する。
【００４０】
ステップＳ９０２において、ユーザが入力した作動操作を受信したかどうかを判断する。本実施形態において、ユーザが、タッチスクリーン２１を５秒間タッチして、作動指令を入力する。
【００４１】
ステップＳ９０３において、作動指令を受信した場合、リモコンメニューアイコン１４０が第一軌跡ａと第二軌跡ｂとに沿って配列され、且つディスプレイに表示され、第一軌跡ａと第二軌跡ｂとはそれぞれ第一確認位置ｃを通過する。本実施形態において、リモコンメニューアイコン１４０がディスプレイに表示される位置と、タッチスクリーン２１がタッチされる位置とは対応する。
【００４２】
ステップＳ９０４において、選択指令を受信したかどうかを判断する。本実施形態において、ユーザの指がＸ軸或いはＹ軸に沿ってスライドすると、選択指令が生成される。
【００４３】
ステップＳ９０５において、選択指令を受信すると、第一軌跡ａのメニューアイコン或いは第二軌跡ｂのメニューアイコンを制御して、第一軌跡ａ或いは第二軌跡ｂに沿ってスライドする。本実施形態において、ユーザがタッチスクリーン２１をＸ軸に沿ってスライドすると、第一軌跡ａのメニューアイコンが第一軌跡ａに沿ってスライドし、ユーザがタッチスクリーン２１をＹ軸に沿ってスライドすると、第二軌跡ｂのメニューアイコンが第二軌跡ｂに沿ってスライドする。
【００４４】
ステップＳ９０６において、ユーザが入力した確認指令を受信したかどうかを判断する。
【００４５】
ステップＳ９０７において、確認指令を受信した場合、メニューアイコンを制御して、スライドを停止し、且つ第一確認位置ｃに対応するメニューアイコンを作動させる。
【００４６】
ステップＳ９０８において、ユーザが入力した操作指令を受信したかどうかを判断する。
【００４７】
ステップＳ９０９において、ユーザが入力した操作指令を受信した場合、リモコンメニューアイコン１４０をオフし、交差している第三軌跡ｃと第四軌跡ｆが順に配列し、且つディスプレイに表示され、第三軌跡ｃと第四軌跡ｆとはそれぞれ第二確認位置ｇを通過する。
【００４８】
ステップＳ９１０において、ユーザが入力した選択指令を受信したかどうかを判断する。
【００４９】
ステップＳ９１１において、ユーザが入力した選択指令を受信した場合、メニューアイコンを制御して、第三軌跡ｃと第四軌跡ｆとに沿ってスライドする。本実施形態において、ユーザがタッチスクリーン２１をＸ軸に沿ってスライドさせると、第三軌跡ｃのメニューアイコンが第三軌跡ｃに沿ってスライドし、ユーザがタッチスクリーン２１をＹ軸に沿ってスライドさせると、第四軌跡ｆのメニューアイコンが第四軌跡ｆに沿ってスライドする。
【００５０】
ステップＳ９１２において、ユーザが入力した確認指令を受信したかどうかを判断する。
【００５１】
ステップＳ９１３において、ユーザが入力した確認指令を受信した場合、メニューアイコンを制御して、スライドを停止し、且つ第二確認位置ｇに対応するメニューアイコンを作動させる。
【００５２】
本発明の表示装置、メニュー表示装置、及びメニュー表示方法は、メニューアイコンを第一軌跡と第二軌跡に配列し、且つユーザの操作によって、第一軌跡のメニューアイコンは第一軌跡に沿って循環的にスライドし、第二軌跡のメニューアイコンは第二軌跡に沿って循環的にスライドする。従って、ユーザは、毎回、メニューアイコンから必要なメニューアイコンを即座に探すことができ、操作に便利である。
【符号の説明】
【００５３】
１０、３０  表示装置、メニュー表示装置
１３  指令受信素子
１４  記憶素子
１４０  リモコンメニューアイコン
１４１  システムメニューアイコン
１４３  数字ボタン
１４４  方向ボタン
１４５  機能ボタン
１４５ａ  テレビメニューボタン
１４６  テレビメニュー
１５  メニュー生成素子
１６  制御器
１７  ディスプレイ
２０  タッチ式リモコン
２１、３１  タッチスクリーン
２５  送信素子
３２  メニュー表示装置
３３  軌跡識別素子
３４  メニュー生成素子
３４０  機能メニュー
３４１  機能メニューアイコン
３６  制御器
３７  記憶素子
Ｈ、ａ  第一軌跡
Ｉ、ｂ  第二軌跡
Ｊ、確認位置
ｃ  第一確認位置
ｄ  表示位置
ｅ  第三軌跡
ｇ  第二確認位置
ｆ  第四軌跡
【図１】
2014120165.tif 000003
【図２】
2014120165.tif 000004
【図３】
2014120165.tif 000005
【図４】
2014120165.tif 000006
【図５】
2014120165.tif 000007
【図６】
2014120165.tif 000008
【図７】
2014120165.tif 000009
【図８】
2014120165.tif 000010
【図９】
2014120165.tif 000011
【図１０】
2014120165.tif 000012
【図１１】
2014120165.tif 000013